(57)【特許請求の範囲】
【請求項１】
芯調整の対象となる軸部材と、
上記軸部材と嵌合し、上記軸部材と回転可能に嵌合する第一の嵌合部を有し、該第一の嵌合部に対し相対的に偏心した第一の回転軸を有する第一の軸受手段と、
上記第一の回転軸と回転可能に嵌合する第二の嵌合部と、該第二の嵌合部に対し相対的に偏心した第二の回転軸を有する第二の軸受手段と、
上記第一の軸受手段と上記第二の軸受手段との間に設けられ、上記第一の軸受手段と上記第二の軸受手段のうち、一方を他方に対して一方向に相対回転させようとするとき、上記第一の軸受手段と上記第二の軸受手段との間で相対回転を生じさせ、上記第一の軸受手段と上記第二の軸受手段のうち一方を他方に対して他方向に回転させようとするときは、上記第一の軸受手段と上記第二の軸受手段とが一体に回転するクラッチ手段と、
を有することを特徴とする芯調整装置。
【請求項２】
芯調整の対象となる軸部を有し、該軸部の軸に対し偏心した偏心軸を有する軸部材と、
上記偏心軸と嵌合する嵌合部と、該嵌合部と偏心した回転軸とを有した軸受手段と、
上記軸部材と上記軸受手段との間に設けられ、上記軸受手段と上記軸部材のうちの一方を他方に対して一方向に回転させようとするとき、上記軸受手段と上記軸部材との間で相対回転を生じさせ、上記軸受手段と上記軸部材のうちの一方を他方に対して他方向に回転させようとするときは、上記軸部材と上記軸受手段とが一体に回転するクラッチ手段と、
を有することを特徴とする芯調整装置。
【請求項３】
上記クラッチ手段は、環状の一部において、軸心方向にせん断され、互いに軸心方向にずれて対向する一対の面を有する環状部材と、上記軸部材に設けられ、上記一対の面の一つと係合する上記軸部材円周方向に垂直な第一の係合面と、上記軸受手段に設けられ、上記一対の面の他方と係合する上記回転軸円周方向に垂直な第二の係合面とを有することを特徴とする請求項２記載の芯調整装置。
【請求項４】
上記軸部材は、上記軸部材の一端にて回転駆動されることを特徴とする請求項２記載の芯調整装置。
【請求項５】
更に、上記軸受手段で上記軸部材を軸受けるほかに、上記軸部材を軸受ける別の軸受手段と、
上記軸部材を外部より回転するための係合部位と、
を有し、上記別の軸受手段を上記軸受手段と上記係合部位とで挟んだ位置に配置したことを特徴とする請求項２記載の芯調整装置。
【発明の詳細な説明】
【技術分野】
【０００１】
本発明は、軸部材の軸心の位置調整を行うための芯調整装置に関する。
【背景技術】
【０００２】
従来の軸部材の軸心の位置調整を行うための芯調整装置は、偏心軸、および／または、偏心スリーブを適用するものが一般的である。例えば、特許文献１に開示されたレンズ鏡筒に適用したレンズ芯調整機構は、レンズ枠支持用軸部材の一端部に配される偏心軸部をさらに偏心スリーブの偏心穴に嵌入させ、該偏心スリーブを装置本体の支持穴に装着して構成されるものである。本装置においては、上記軸部材の偏心軸部および偏心スリーブの偏心穴の回転位置調整を行うことにより軸部材の装置本体に対する軸心位置調整が行われる。
【特許文献１】特開２００４−２８７２７９号公報
【発明の開示】
【発明が解決しようとする課題】
【０００３】
上述した特許文献１のレンズ芯調整機構においては、上記軸部材の軸心位置調整を行う場合、上記軸部材の一端部側から上記偏心スリーブの回転位置調整を行い、上記軸部材の他端側、すなわち、逆側から上記軸部材の回転位置調整を行う必要があり、上記軸部材と上記偏心スリーブの２つの部材を位置調整しなければならない。また、その２つの部材の位置調整は、交互に行う必要があって、調整操作が煩わしいといった問題がある。
【０００４】
本発明は、上述の問題を解決するためになされたものであり、軸部材の芯調整が容易であり、その構成も簡単である芯調整装置を提供することを目的とする。
【課題を解決するための手段】
【０００５】
本発明の請求項１記載の芯調整装置は、芯調整の対象となる軸部材と、上記軸部材と嵌合し、上記軸部材と回転可能に嵌合する第一の嵌合部を有し、該第一の嵌合部に対し相対的に偏心した第一の回転軸を有する第一の軸受手段と、上記第一の回転軸と回転可能に嵌合する第二の嵌合部と、該第二の嵌合部に対し相対的に偏心した第二の回転軸を有する第二の軸受手段と、上記第一の軸受手段と上記第二の軸受手段との間に設けられ、上記第一の軸受手段と上記第二の軸受手段のうち、一方を他方に対して一方向に相対回転させようとするとき、上記第一の軸受手段と上記第二の軸受手段との間で相対回転を生じさせ、上記第一の軸受手段と上記第二の軸受手段のうち一方を他方に対して他方向に回転させようとするときは、上記第一の軸受手段と上記第二の軸受手段とが一体に回転するクラッチ手段とを有する。
【０００６】
本発明の請求項２記載の芯調整装置は、芯調整の対象となる軸部を有し、該軸部の軸に対し偏心した偏心軸を有する軸部材と、上記偏心軸と嵌合する嵌合部と、該嵌合部と偏心した回転軸とを有した軸受手段と、上記軸部材と上記軸受手段との間に設けられ、上記軸受手段と上記軸部材のうちの一方を他方に対して一方向に回転させようとするとき、上記軸受手段と上記軸部材との間で相対回転を生じさせ、上記軸受手段と上記軸部材のうちの一方を他方に対して他方向に回転させようとするときは、上記軸部材と上記軸受手段とが一体に回転するクラッチ手段とを有する。
【０００７】
本発明の請求項３記載の芯調整装置は、請求項２記載の芯調整装置において、上記クラッチ手段は、環状の一部にて、軸心方向にせん断され、互いに軸心方向にずれた対向する一対の面を有する環状部材と、上記軸部材に設けられ、上記一対の面の一つと係合する上記軸部材円周方向に垂直な第一の係合面と、上記軸受手段に設けられ、上記一対の面の他方と係合する上記回転軸円周方向に垂直な第二の係合面とを有する。
【０００８】
本発明の請求項４記載の芯調整装置は、請求項２記載の芯調整装置において、上記軸部材は、上記軸部材の一端にて回転駆動される。
【０００９】
本発明の請求項５記載の芯調整装置は、請求項２記載の芯調整装置において、更に、上記軸受手段で上記軸部材を軸受けるほかに、上記軸部材を軸受ける別の軸受手段と、上記軸部材を外部より回転するための係合部位とを有し、上記別の軸受手段を上記軸受手段と上記係合部位とで挟んだ位置に配置する。
【発明の効果】
【００１０】
本発明によれば、軸部材の芯調整が容易であり、その構成も簡単である芯調整装置を提供することができる。
【発明を実施するための最良の形態】
【００１１】
以下、図を用いて本発明の実施形態について説明する。  
図１は、本発明の第一の実施形態である芯調整装置を内蔵するレンズ鏡筒の繰り出し状態での光軸に沿った断面図である。図２は、上記レンズ鏡筒における第一群枠軸支部である芯調整装置の断面図である。図３は、上記芯調整装置の分解斜視図である。図４は、上記芯調整装置におけるガイド軸の前側の軸端部と軸受との分解斜視図である。
【００１２】
本実施形態のレンズ鏡筒２０は、図１に示すようにカメラ本体に固定支持される固定枠１と、固定枠１の内側部に回転，進退可能に支持される回転枠２と、回転枠２に相対回転可能、かつ、光軸Ｏ0 方向に一体の状態で進退するフロートキー６と、回転枠２により進退可能に支持されるズーム枠３および第二群レンズ２２・シャッタ枠７を保持する第二群枠５と、ズーム枠３内に進退可能に支持され、第一群レンズ２１を保持する第一群枠４と、ＣＣＤユニットとを有している。
【００１３】
レンズ鏡筒２０は、撮影レンズ光軸として光軸Ｏ0 を有しているが、この光軸Ｏ0 は、組み付け状態の第二群レンズ２２の光軸であり、第二群レンズ２２の前方に配される第一群レンズ２１の光軸Ｏ1 は、第一群枠軸支部である後述の芯調整装置３０により位置調整を行うことにより上記光軸Ｏ0 に合わせ込まれる（図１）。なお、以下、光軸方向の被写体側を前方とし、結像側を後方とし、回転方向は後方側から見たときの回転方向で示す。
【００１４】
固定枠１は、カメラ本体（図示せず）に固定支持される。固定枠１の後端部にはＣＣＤホルダ９を介してＣＣＤ基板１０に実装されたＣＣＤ１２と光学フィルタ１１よりなるＣＣＤユニットが取り付けれる。なお、固定枠１には回転枠２を回転駆動するためのズーム駆動ギヤ（図示せず）が組み込まれている。
【００１５】
回転枠２は、円筒枠部材からなり、外周後端部にギヤ部２ａを有している。この回転枠２は、ギヤ部２ａを介して上記ズーム駆動ギヤにより回転駆動されると、固定枠１のヘリコイドネジ１ｂにより光軸Ｏ0 方向に回転しながら繰り出される。回転枠２は、固定枠１内の沈胴位置から撮影可能な位置（図１の状態）に繰り出された後、ズーミング駆動時には、固定枠１の円周ガイド溝１ｃにより光軸Ｏ0 方向に進退することなく回転駆動される。
【００１６】
フロートキー６は、ガイド突起部６ａを固定枠１の直進ガイド溝１ｂに嵌入させ、固定枠１に対して回転規制された状態で、回転枠２に対して相対回転可能、かつ、光軸Ｏ0 方向には一体で進退移動可能に支持されている。
【００１７】
ズーム枠３は、樹脂製円筒枠部材からなり、カムフォロア１５を回転枠２の内周カム溝２ｂに摺動可能に係合させた状態で回転枠２の内周部に嵌合し、また、フロートキー６の直進キー部６ｂにより回転規制された状態で支持されている。したがって、ズーム枠３は、回転枠２の回転に伴って光軸Ｏ0 方向に移動し、回転枠２から突出したズーム位置（図１）に繰り出される。
【００１８】
また、ズーム枠３の内部には芯調整装置３０を介して第一群枠４が進退可能に支持されており、また、第一群枠４を光軸Ｏ0 方向に進退駆動するためのフォーカス駆動機構およびフォーカス駆動モータが内蔵されている。
【００１９】
第一群枠４は、光軸Ｏ1 を有する第一群レンズ２１を保持しており、外方部にはガイド軸３３が摺動可能に嵌合するガイドスリーブ８が接着固定されている。ガイドスリーブ８は、光軸調整治具（図示しない）を用いて第一群枠４に対して光軸Ｏ1 と平行に保持された状態で第一群枠４のスリーブ穴４ａに接着固定される。
【００２０】
この第一群枠４は、ズーム枠３側のガイド軸３３にガイドスリーブ８を介して光軸Ｏ0 方向（芯調整後の光軸）に摺動可能に支持され、さらに、第一群枠４のガイド凸部４ｂがガイド軸３３に対して光軸Ｏ0 の反対側に配されるズーム枠３のガイド溝３ｃに摺動可能に嵌入し、光軸Ｏ0 まわりの回動が規制される。したがって、上記フォーカス駆動モータを駆動した場合、フォーカス駆動機構により第一群枠４が光軸Ｏ0 方向に進退し、各フォーカシング位置に位置決めされる。
【００２１】
第二群枠５は、光軸Ｏ0 を有する第二群レンズ２２を保持しており、カムフォロア１６を回転枠２の内周カム溝２ｃに摺動可能に係合させた状態で回転枠２の内周部に嵌合し、また、フロートキー６の直進キー部６ｂにより回転規制された状態で支持されている。したがって、第二群枠５は、回転枠２の回転に伴って光軸Ｏ0 方向のズーム位置に相対移動する。
【００２２】
シャッタ枠７は、第二群枠５に固定支持されており、内部に開閉可能なシャッタ羽根（図示せず）およびシャッタ駆動用アクチュエータ（図示せず）を内蔵している。
【００２３】
芯調整装置３０は、ガイド軸３３を支持し、その軸心位置を調整するための装置であって、図２，３に示すようにガイド軸３３と、その両端に配される前軸受部３１と、後軸受部３２と、Ｅ型止め輪３９と、Ｅ型止め輪３９を介してガイド軸３３を前方向に付勢するための付勢バネ４０とからなり、ズーム枠３の前，後軸支穴３ａ，３ｂにより支持されている。
【００２４】
ガイド軸３３は、中央部に芯調整の対象となる軸部３３ｈと、第一の場所である前端部に配され、軸部３３ｈに対して偏心量δ3 だけ偏心した偏心軸である外周球面を有する偏心軸端部３３ａと、該偏心軸端部３３ａと同一軸心でその後方側に配される軸部３３ｃと、後端部に軸部３３ｈと同一軸心で外周球面をもつ軸端部３３ｂとを有し、また、軸部３３ｈの前端部にクラッチ環３７と係合可能な第一の係合面をもつ切り欠き３３ｄが設けられる。さらに、第二の場所となる軸端部３３ｂの端部に係合手段としてのすり割３３ｆが設けられている。なお、軸部３３ｈおよび軸端部３３ｂの径をＤ0 とし、その軸心をＳ0 とする。偏心軸端部３３ａの径をＤ3 とし、その軸心をＳ3 とする。
【００２５】
後軸受部３２は、第一の軸受手段である内偏心軸受３５と、第二の軸受手段である外偏心軸受３６と、クラッチ手段であるクラッチ環３８とを有している。
【００２６】
内偏心軸受３５には、第三の場所にて軸端部３３ｂに嵌合する第一の嵌合部である軸穴部３５ｂと、軸穴部３５ｂに対して偏心量δ1 だけ偏心した第一の回転軸部である軸部３５ａと、前端側に切り欠き３５ｃを有する鍔部３５ｄと、後端側にすり割３５ｅとが設けられている。なお、軸部３５ａの径をＤ1 とし、その軸心をＳ1 とする。軸穴３５ｂの径はＤ0 であり、その軸心はＳ0 と一致する。
【００２７】
外偏心軸受３６には、内偏心軸受３５の軸部３５ａと嵌合する第二の嵌合部である軸穴部３６ｂと、軸穴部３６ｂに対して偏心量δ2 だけ偏心し、ズーム枠３の後軸支穴３ｂに圧入状態で嵌合可能な第二の回転軸部である軸部３６ａと、前端側にＶ字状切り欠き３６ｃを有する鍔部３６ｄと、後端側にすり割３６ｅを有する段部３６ｆが設けられている。なお、軸部３６ａの径をＤ2 とし、その軸心をＳ2 とする。軸穴３６ｂの径はＤ1 であり、その軸心はＳ1 と一致する。
【００２８】
クラッチ環３８は、リング形状の部材の一箇所を剪断し、その切断面であるガイド軸円周方向に垂直な一対の係合面３８ａ，３８ｂを軸方向にずれた位置まで変形させた環状部材である。このクラッチ環３８は、内偏心軸受３５の軸部３５ａに回転可能な状態で嵌入して装着され、係合面３８ａ，３８ｂが外偏心軸受３６の切り欠き３６ｃ、内偏心軸受３５の切り欠き３５ｃにそれぞれ当接可能である。
【００２９】
前軸受部３１は、偏心軸受３４と、クラッチ手段であるクラッチ環３７とからなる。
【００３０】
偏心軸受３４は、ガイド軸３３の偏心軸端部３３ａに嵌合する第三の嵌合部である軸穴３４ｂと、軸穴３４ｂに対して偏心量δ4 だけ偏心し、ズーム枠３の前軸支穴３ａに圧入状態で嵌合可能な第三の回転軸である軸部３４ａとを有しており、さらに、後端側にクラッチ環３７と係合可能な第二の係合面となる切り欠き３４ｃを有する鍔部３４ｄが設けられている。なお、軸部３４ａの径をＤ4 とし、その軸心をＳ4 とする。軸穴３４ｂの径はＤ3 であり、その軸心はＳ3 と一致する。
【００３１】
クラッチ環３７は、それぞれガイド軸３３の軸部３３ｃに回転可能な状態で嵌入するリング形状の部材であって、その一箇所を剪断し、その切断面であるガイド軸円周方向に垂直な一対の係合面３７ａ，３７ｂを軸方向にずれた位置まで変形させている。このクラッチ環３７は、軸部３３ｃに回転可能な状態で嵌入して装着され、係合面３７ａ，３７ｂがガイド軸３３の切り欠き３３ｄ、偏心軸受３４の切り欠き３４ｃにそれぞれ当接可能である。
【００３２】
上述した構成を有する芯調整装置３０における調整方法について、図２，３の他、図５〜７を用いて説明する。  
図５は、上記芯調整装置にて軸心Ｓ0 の調整可動範囲を示す斜視図である。図６，７は、ガイド軸の両端面上での軸心Ｓ0 の調整範囲を示す模式図である。
【００３３】
芯調整装置３０において、ズーム枠３の軸支穴３ａ，３ｂに圧入、かつ回転可能な状態で偏心軸受３４および外偏心軸受３６が装着される。外偏心軸受３６は、後軸支穴３ｂに対して鍔部３６ｄ，段部３６ｆにより軸方向が位置決められる。外偏心軸受３６の軸穴３６ｂには、クラッチ環３８を軸部３５ａに装着した状態の内偏心軸受３５が回転可能な状態で嵌入される。さらに、ガイド軸３３は、クラッチ環３７を装着し状態の偏心軸端部３３ａ側を偏心軸受３４の軸穴３４ｂに嵌入させ、かつ、軸端部３３ｂ側を内偏心軸受３５の軸穴３５ｂに嵌入させて取り付けられる。また、ガイド軸３３は、リング溝３３ｅに装着されたＥ型止め輪を付勢バネ４０により後方に付勢されている。
【００３４】
上述したガイド軸３３の装着状態で内偏心軸受３５を時計回り／反時計回りに回転操作し、また、ガイド軸３３を後端側から時計回り／反時計回りに回転操作することによって図５に示すガイド軸３３の軸端部３３ｂの位置を後面調整領域Ｂ1 の範囲、また、偏心軸端部３３ａの位置を前面調整領域Ｂ2 の範囲でそれぞれ移動調整し、調整されるべきガイド軸３３の軸心Ｓ0 を立体領域Ａ0 内で傾きを含めた位置調整をすることができる。
【００３５】
調整動作をさらに詳しく説明すると、ガイド軸３３の一方の端部である後端側の位置調整は、内偏心軸受３５のすり割３５ｅを後端側から回転操作して行う。まず、第一段階目として、すり割３５ｅにより内偏心軸受３５を反時計回りに回転させると切り欠き３５ｃとクラッチ環３８の係合面３８ｂとが当接し、クラッチ環３８が内偏心軸受３５とともに一体的に回転する。続いて、クラッチ環３８の係合面３８ａが切り欠き３６ｃと当接して外偏心軸受３６を圧入保持力に抗して反時計回りに内偏心軸受３５，クラッチ環３８，外偏心受３６と一体の状態で回転させることになる。
【００３６】
詳しくは、クラッチ環３８の係合面３８ｂおよび３８ａが内偏心軸受３５の切り欠き３５ｃと外偏心軸受３６の切り欠き３６ｃとにそれぞれ当接、係合するまでは、ガイド軸３３の軸心Ｓ0 は、内偏心軸受３５の軸心Ｓ1 まわりの半径δ1 の円軌跡である回転軌跡Ｔ1 上を移動する。上記当接、係合後は、外偏心軸受３６が回転し、外偏心軸受３６の軸心Ｓ2 まわりに半径δ2 とする円軌跡である回転軌跡Ｔ2上を内偏心受３５の軸心Ｓ1 が移動する。そのとき、ガイド軸３３の軸心Ｓ0 は、内偏心軸受３５の回転とともに移動する（図７）。言い換えれば、軸心Ｓ0 は、回転軌跡Ｔ1 上のどこかにあり、さらにこの回転軌跡Ｔ1 が回転軌跡Ｔ2 により回転させられているので軸心Ｓ0は後面調整領域Ｂ１ 内のどこかに存在することになる。この第一段階目の調整はおおまかな調整であり、強いて言えば、軸心Ｓ2を中心とした後面調整領域Ｂ1 の円周方向における軸心Ｓ0の位置を仮におおまかに決めるものである。これらの調整及び後述する調整は光学的な公知の装置によりレンズの芯を見ながら行えばよい。
【００３７】
続いて、第二段階目として、同じく、すり割３５ｅにより内偏心軸受３５を時計回りに回転させると、切り欠き３５ｃとクラッチ環３８の係合面３８ｂとの係合が解け、内偏心軸受３５のみが外偏心軸受３６に対して相対回転することになる。そして、内偏心軸受３５の軸心Ｓ1 まわりの回転軌跡Ｔ1の上にのみ軸端部３３ｂの軸心Ｓ0 （ガイド軸３３の軸心）が移動するので、外偏心軸受３６、即ち、軸端部３３ｂの軸心Ｓ2から半径方向に所望の位置に近い位置に内偏心軸受３５軸心Ｓ0を位置させられる。このように調整した後、再度、第一段階目の調整、第二段階目の調整を必要に応じ繰り返し行い軸心Ｓ0を所望の位置へと正確に位置決めする。このとき、外偏心軸受３６は、ガイド軸３３が付勢バネ４０に押圧された状態で軸方向に逃げ、クラッチ環３８の係合面３８ａと係合せず、圧入保持力により調整位置に止まっている。このように内偏心軸受３５の反時計回り／時計回りの回転操作により図６に示すガイド軸３３の軸心Ｓ0 の後端側を回転軌跡Ｔ1 ，Ｔ2 をむ包絡線Ｅ1 で囲まれる後面調整領域Ｂ1 内の任意の調整位置に移動させることができる。包絡線Ｅ1 の半径は、偏心量δ1 とδ2 とを加算した値となる。なお、外偏心軸受３６の内偏心軸受３５に対する一体回転および相対回転の回転位置調整は、すり割３６ｅにより直接的に行うことも可能である。
【００３８】
さらに、ガイド軸３３の他方の端部である前端側の位置調整は、ガイド軸３３の後側の軸端部３３ｂに設けられるすり割３３ｆを後端側から回転操作して行う。まず、第三段階目としてすり割３３ｆを介してガイド軸３３を反時計回りに回転させる。この回転によりクラッチ環３７の係合面３７ａと切り欠き３３ｄとが当接して、クラッチ環３７とガイド軸３３とが一体的に回転する。続いて、クラッチ環３７の係合面３７ｂと切り欠き３４ｃとが係合（当接）して偏心軸受３４を圧入保持力に抗してクラッチ環３７とガイド軸３３とともに反時計回りに一体的に回転させることになる。
【００３９】
詳しくは、クラッチ環３７の係合面３７ａおよび３７ｂがガイド軸３３の切り欠き３３ｄと偏心軸３４の受切り欠き３４ｃとにそれぞれ当接、係合するまでは、ガイド軸３３の軸心Ｓ0 は、偏心軸受３４の軸心Ｓ3 まわりの半径δ3 の円軌跡である回転軌跡Ｔ3 上を移動する。上記当接、係合後は、偏心軸受３４が回転し、偏心軸受３４の軸心Ｓ4 まわりに半径δ4 とする円軌跡である回転軌跡Ｔ4上を偏心軸端部３３ａの軸心Ｓ3 が移動する。このとき、ガイド軸３３の軸心Ｓ0 は、偏心軸受３４の回転とともに移動する（図７）。言い換えれば、軸心Ｓ0 は回転軌跡Ｔ3 上のどこかに有り、さらにこの回転軌跡Ｔ3 が回転軌跡Ｔ4 により回転させられているので軸心Ｓ0 は前面調整領域Ｂ2 内のどこかに存在することになる。この第三段階目の調整はおおまかな調整であり、強いて言えば、軸心Ｓ4 を中心とした前面調整領域Ｂ2 の円周方向における軸心Ｓ0 の位置をおおまかに仮に決めるものである。
【００４０】
続いて、第四段階目として、すり割３３ｆによりガイド軸３３を時計回りに回転させると、クラッチ環３７の係合面３７ａと切り欠き３３ｄとの係合が解け、ガイド軸３３のみが偏心軸受３４に対して相対回転することになる。そして偏心軸端部３３ａの軸心Ｓ3 まわりの回転軌跡Ｔ3上にのみガイド軸３３の軸心Ｓ0 が移動する。偏心軸受３４の軸心、即ち、軸端部３３ａの軸心Ｓ4 から半径方向の所望の位置に近い位置に軸心Ｓ0 を位置させることができる。このように調整した後、再度、第三段階目の調整、第四段階目の調整を必要に応じ繰り返し行い、軸心Ｓ0を所望の位置へと正確に位置決めする。このとき、偏心軸受３４は、圧入保持力により調整位置に止まっている。このようにしてガイド軸３３の反時計回り／時計回りの回転操作により図６に示すガイド軸３３の軸心Ｓ0 の前端側を回転軌跡Ｔ4 ，Ｔ3 を含む包絡線Ｅ2 で囲まれる前面調整領域Ｂ2 内の任意の位置に調整移動させることができる。包絡線Ｅ2 の半径は、偏心量δ3 とδ4 とを加算した値となる。
【００４１】
なお、クラッチ環３８，３９をばね性材料で作り、上記ガイド軸の軸方向にばね性を持たせるようにすれば、上述の付勢バネ４０は必ずしも必要ではない。さらに、クラッチ環３８，３９をＣの字状に形成し、その両端面をガイド軸３３の軸方向に互いにずらした形にしたものであってもよい。
【００４２】
上述した調整が完了した後、ズーム枠３の軸支穴３ａ，３ｂに偏心軸受３４の外周，外偏心軸受３６の外周をそれぞれ接着固定し、さらに、内偏心軸受３５の外周を外偏心軸受３６に接着固定する。ガイド軸３３の軸端部をそれぞれ偏心軸受３４，内偏心軸受３５に接着固定してもよい。
【００４３】
上述したガイド軸３３の軸心Ｓ0 の立体領域Ａ0 内で傾きを含めた位置調整によって、ガイド軸３３で進退可能に支持される第一群枠４により保持されている第一群レンズ２１の光軸Ｏ1 を第二群レンズ２２の光軸Ｏ0 （撮影レンズ光軸）に完全に一致させることができる（図１）。なお、調整時の軸心の位置検出は、レンズの光軸をレーザ光位置検出装置により検出することができる。
【００４４】
上述したように本実施形態のレンズ鏡筒２０においては、芯調整装置３０を適用することにより、第一群枠４を支持するガイド軸３３の傾斜を含む軸心Ｓ0 の位置調整をズーム枠３の一方側である後方側からのみの回動操作で行うことができる。さらに、ガイド軸３３の前端面側、あるいは、後端面側を通る軸心Ｓ0 の位置調整がそれぞれ１つの部材の回動操作で行うことができる。すなわち、前端面側は、ガイド軸３３の後端の軸端部３３ｂに設けられるすり割３３ｆを反時計回り／時計回りの双方向の回転操作で位置調整することができる。同様に後端面側は、ガイド軸３３の後端側に配される内偏心軸受３５に設けられるすり割３５ｅを反時計回り／時計回りの双方向の回転操作で位置調整することができる。したがって、簡単な構成の軸支持機構を用いながら軸心の位置調整作業がやりやすく、かつ、光軸位置を高い精度で調整することができる。
【００４５】
なお、上述したレンズ鏡筒２０においては、ガイド軸３３の両端の軸端部３３ａおよび３３ｂは、ともに、球面を有する軸端部を適用したが、これに代えて比較的長さの短い円柱軸部を採用することも可能である。さらに、係合手段であるすり割３３ｆや３５ｅには、十字穴，レンチ穴，六角穴等を適用することも可能である。
【００４６】
また、ガイド軸３３のすり割３３ｆに代えてガイド軸３３の軸部３３ｈ上に係合部位となるカット面を配し、該カット面を所定の工具で挟んで回動駆動することによりガイド軸３３を回転させて前端側の軸心Ｓ0 の回転位置調整を行うことも可能である。
【００４７】
また、すり割り３３ｆを軸端部３３ａに設ければ、前軸受部３１に関しては軸支穴３ａの前側からでもガイド軸３３と偏心軸受３４との相対回転で調整ができる。
【００４８】
また、本発明の説明にあたり芯調整装置３０には前軸受部３１、後軸受部３２の両方をレンズ鏡筒３０に適用し説明したが、前軸受部３１、後軸受部３２のどちらか一方のみをガイド軸の一端に適用し、前述した特許文献１のようにガイド軸の他端は、その近傍に上述のようなＥ型止め輪を設け、ガイド軸支持穴とＥ型止め輪との間にばねワッシャのような部材を設け、ガイド軸の他端を、緩めの支持穴内で揺動できるようにしておいても、上述と同様なガイド軸の調整が可能である。
【００４９】
クラッチ環３７に代えてガイド軸３３、または、偏心軸受３４に切り欠き３３ｄ、３４ｃ、あるいは、係合突起を設け、他方側の偏心軸受３４、または、ガイド軸３３の対向部に該切り欠き、または、該係合突起に係合可能な係合ピンを設け、それぞれを係合させて回転操作することによって略同様の芯調整を行うことも可能である。この場合、付勢バネ４０は不要となる。
【００５０】
偏心軸受３４、または、外偏心軸受３６にその円環部に軸方向に沿ったスリットを入れた形状を採用することによって偏心軸受３４、または、外偏心軸受３６の軸支穴３ａ，３ｂへの圧入状態での保持力を安定させ、芯調整作業を容易に行うことも可能である。
【００５１】
前述した本実施形態の芯調整装置３０は、ガイド軸３３の位置調整を行ってレンズ鏡筒の光軸調整を行うためのものであったが、本発明の芯調整装置は、これに限らず他の軸支持機構の軸芯位置調整装置としても適用することができ、また、軸の両端ではなく片方の軸端位置のみの調整にも適用することができる。
【００５２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５３】
本発明による芯調整装置は、軸部材の芯調整が容易であり、その構成も簡単な芯調整装置として利用可能である。
【図面の簡単な説明】
【００５４】
【図１】本発明の第一の実施形態である芯調整装置を内蔵するレンズ鏡筒の繰り出し状態での光軸に沿った断面図である。
【図２】図１のレンズ鏡筒の第一群枠軸支部である芯調整装置の断面図である。
【図３】図２の芯調整装置の分解斜視図である。
【図４】図２の芯調整装置におけるガイド軸の前側の軸端部と軸受との分解斜視図である。
【図５】図２の芯調整装置にてガイド軸の軸心の調整可動範囲を示す斜視図である。
【図６】図２の芯調整装置におけるガイド軸の後側端面上での軸心の調整範囲を示す模式図である。
【図７】図２の芯調整装置におけるガイド軸の後側端面上での軸心の調整範囲を示す模式図である。
【符号の説明】
【００５５】
３３  …ガイド軸（軸部材）
３３ａ…偏心軸端部（偏心軸）
３３ｄ…切り欠き（第一の係合面）
３３ｆ，３５ｅ
…すり割（係合手段）
３３ｈ…軸部（芯調整の対象）
３４  …偏心軸受（第三の軸受手段）
３４ａ…軸部（第三の回転軸）
３４ｂ…軸穴（第三の嵌合部）
３４ｃ…切り欠き（第二の係合面）
３５  …内偏心軸受（第一の軸受手段）
３５ａ…軸部（第一の回転軸）
３５ｂ…軸穴部（第一の嵌合部）
３６  …外偏心軸受（第二の軸受手段）
３６ａ…軸部（第二の回転軸）
３６ｂ…軸穴部（第二の嵌合部）
３７，３８
…クラッチ環（クラッチ手段，環状部材）
３７ａ，３７ｂ，３８ａ，３８ｂ
…一対の係合面
【図１】
0004762751.tif 000002
【図２】
0004762751.tif 000003
【図３】
0004762751.tif 000004
【図４】
0004762751.tif 000005
【図５】
0004762751.tif 000006
【図６】
0004762751.tif 000007
【図７】
0004762751.tif 000008